(57)【特許請求の範囲】
【請求項１】
挿入方向に一定の厚みを有する開口部に対をなし対向するブラケットをそれぞれ挿入させて当該ブラケットを取り付けるブラケット取付構造において、
これらブラケットの取付部にネジ孔を設けているとともに、これらブラケットのネジ孔を通過させたネジ部材を、これら対をなすブラケット間に配した取付対象物のネジ孔に取り付けることにより、ブラケットの挿入部を前記挿入方向から傾斜させて開口部の幅方向両端にそれぞれ接触させた状態で取り付けるようにし、取付対象物を取り付けた状態でブラケットの挿入部が開口部内において斜めに位置するようにしていることを特徴とするブラケット取付構造。
【請求項２】
挿入方向に一定の厚みを有する開口部に対をなし対向するブラケットをそれぞれ挿入させて当該ブラケットを取り付けるブラケット取付構造において、
これらブラケットの取付部にネジ孔を設けているとともに、これらブラケットのネジ孔を通過させたネジ部材を、これら対をなすブラケット間に配した取付対象物のネジ孔に取り付けることにより、ブラケットの挿入部を前記挿入方向から傾斜させて開口部の幅方向両端にそれぞれ接触させた状態で取り付けるようにし、さらに、ブラケットの重力作用方向への変位を規制する規制部を設け、当該ブラケットの重力作用方向への変位を規制し取付対象物を取り付けた状態でブラケットの挿入部が開口部内において斜めに位置するようにしていることを特徴とするブラケット取付構造。
【発明の詳細な説明】
【０００１】
【発明の属する技術分野】
本発明は、ブラケットの取付構造に関するものであり、より具体的には、ブラケットを取り付けた状態におけるがたつきを少なくした構造などに関するものである。
【０００２】
【従来の技術】
一般的に、フック部を有するブラケットをスリット状の開口部に取り付ける場合、このスリット状の開口部に対してブラケットのフック部を引っ掛けて取り付けるようにしていることが多い。そして、このようにして取り付けられたブラケットに対して、本来取り付けるべき部材などをネジ部材などを介して固定するようにしている。
【０００３】
【発明が解決しようとする課題】
ところが、通常この開口部における開口幅の寸法は、この開口部に挿入されるブラケットの挿入部分の厚み幅よりも幅広く設定されており、これによってブラケットの挿入および取り付け作業を容易に行なえるようにしている。従って、ブラケットを取り付けた状態では、開口部とブラケットとの間に隙間を生じてしまい、不快な振動などを生ずることがある。また、例えば、このブラケットに電話台などのような操作を必要とする物品を載せる基台を取り付けた場合は、その力作用方向へのがたつきなどにより操作が不安定になる可能性がある。
【０００４】
そこで、本発明は、以上のような不具合に着目してなされたもので、ブラケットを取り付けた状態において、そのがたつきを少なくするような構造およびそのブラケットを提供することを目的とするものである。
【０００５】
【課題を解決するための手段】
本発明に係るブラケット取付構造の一つは、上記課題を解決するために、挿入方向に一定の厚みを有する開口部に対をなし対向するブラケットをそれぞれ挿入させて当該ブラケットを取り付けるブラケット取付構造において、これらブラケットの取付部にネジ孔を設けているとともに、これらブラケットのネジ孔を通過させたネジ部材を、これら対をなすブラケット間に配した取付対象物のネジ孔に取り付けることにより、ブラケットの挿入部を前記挿入方向から傾斜させて開口部の幅方向両端にそれぞれ接触させた状態で取り付けるようにし、取付対象物を取り付けた状態でブラケットの挿入部が開口部内において斜めに位置するようにしていることを特徴とする。
また、本発明に係るブラケット取付構造の他の一つは、上記課題を解決するために、挿入方向に一定の厚みを有する開口部に対をなし対向するブラケットをそれぞれ挿入させて当該ブラケットを取り付けるブラケット取付構造において、これらブラケットの取付部にネジ孔を設けているとともに、これらブラケットのネジ孔を通過させたネジ部材を、これら対をなすブラケット間に配した取付対象物のネジ孔に取り付けることにより、ブラケットの挿入部を前記挿入方向から傾斜させて開口部の幅方向両端にそれぞれ接触させた状態で取り付けるようにし、さらに、ブラケットの重力作用方向への変位を規制する規制部を設け、当該ブラケットの重力作用方向への変位を規制し取付対象物を取り付けた状態でブラケットの挿入部が開口部内において斜めに位置するようにしていることを特徴とする。
なお、好ましくは、ブラケットを傾けて位置させるに際して、この開口部に接触させて押圧するようにブラケットを傾けると良い。このようにすれば、より確実にがたつきをなくすことができ、更に、ブラケットの取付強度を強くすることができる。
【０００６】
また、ブラケットを重力作用方向へ変位させないような規制部を設けるとともに、ブラケットを開口部の挿入方向と異なる方向に傾けて取り付けるように構成する。
【０００７】
このように構成することによって、上下方向への変位を規制するとともに、ブラケットの挿入部を前記挿入方向から傾斜させて開口部の幅方向両端にそれぞれ接触させた状態で取り付けるようにしていることによって水平方向への変位を規制し、より上下左右方向のがたつきを少なくする。
【０００８】
【発明の実施の形態】
以下、本発明の一実施形態を、図面を参照して説明する。図１は、本発明の一実施形態であるブラケット取付構造が適用されるデスクＤの要部を示したものであり、図２は、その脚部２に取り付けられるブラケット３の正面図（ａ）、側面図（ｂ）、平面図（ｃ）を示したものである。また、図３は、脚部２に取り付けられるブラケット３の取り付け例を示したものであり、図４は、ブラケット３の使用状態における開口部２０近傍の拡大図を示したものである。
【０００９】
図１におけるデスクＤは、このブラケット取付構造が適用されるものであり、天板１と、この天板１を支持するための脚部２と、この脚部２に取り付けられるブラケット３、およびこのブラケット３に取り付けられる被取付部材たる幕板４とを具備してなるものである。
【００１０】
この天板１は、オフィスなどで使用できるように表面をメラミン焼付塗装した木材もしくはスチールなどで構成し、その裏面に図示しない天板受用のフレームを天板１の端辺近傍に沿って設けたものである。
【００１１】
脚部２は、その上端部分を天板１の裏面に接触させるとともに天板受用のフレームに対して適宜の手段を用いて取り付けるようにしたものである。この脚部２は、一定の厚みを有する金属製の部材を中空円筒状に構成したものであり、対向する脚部２側における円周部分の上方に縦長スリット状の開口部２０を複数設けてブラケット３を取り付け、更に、このブラケット３に幕板４を取り付けられるようにしている。
【００１２】
この幕板４は、着座者の足元を隠し、また、脚部２間に強度を持たせるようにしたものであり、スチール板の表面４３に複数のパンチ孔４０を設けるとともに、この幕板４の表面４３の内側端部上方にブラケット３を取り付けるための雌ネジ孔４１を設けている。
【００１３】
この幕板４を取り付けるためのブラケット３は、金属製の部材を折り曲げて設けたものであり、その詳細について図２および図４を用いて示す。
【００１４】
すなわち、このブラケット３は、脚部２に設けられたスリット状の開口部２０に挿入するための挿入部３０と、このブラケット３に取り付けられて使用されている状態（図４参照）で挿入部３０を開口部２０内で平面視斜めに位置させるための取付部３１とを有してなるものである。この取付部３１は、幕板４の端部に設けられた雌ネジ孔４１に対応したネジ孔３２を設けたものであり、このネジ孔３２を介してネジ部材５（図１および図４参照）を幕板４に取り付けて幕板４とブラケット３との相対位置関係を固定するようにしたものである。この取付部３１は、ブラケット３を取り付けた状態で、幕板４の側面４２および表面４３（図１および図４参照）に沿って折れ曲がり、かつ、幕板４の表面４３とネジ孔３２を有する取付部分３１ｂが平行になるように構成されている。挿入部３０は、この側面対応部分３１ａから斜めに折り曲げて構成したものであり、このブラケット３を使用している状態で、スリット状の開口部２０内において平面視挿入方向Ｘから斜めに傾けて位置させて構成したものである。具体的には、この挿入部３０の一方の側面３０ａを開口部２０の側壁前方の端部２０ａに接触させるとともに、挿入部３０の他方の側面３０ｂを開口部２０の対向する側壁奥側の端部２０ｂに接触させて押圧させるようにしている。
【００１５】
また、この挿入部３０の先端側には、このブラケット３を引っ掛けるための下向きのフック部３０ｃを複数設けており、このフック部３０ｃを開口部２０の下端部分２０ｃに引っ掛けることによってブラケット３の重力作用方向Ｇにおける変位を規制するようにしている。
【００１６】
次に、このように構成されたデスクＤにおいて、幕板４をブラケット３を介して脚部２に取り付ける場合について説明する。
【００１７】
まず、幕板４を取り付けるに際して、図３（ａ）に示すように脚部２の上端部に設けられた開口部２０にブラケット３を挿入する。この場合、ブラケット３の挿入部３０を開口部２０の挿入方向Ｘ、すなわち、開口部の側壁と平行な方向に沿って真っ直ぐ挿入し、この状態でブラケット３の先端部に設けられたフック部３０ｃを開口部２０の下端部分２０ｃ（図４参照）に引っ掛ける。また、この脚部２に対向する側の脚部２についても同様に、その脚部２に設けられた開口部２０にブラケット３を引っ掛ける。
【００１８】
そして、この状態でブラケット３に幕板４を取り付けるべく、デスクＤの外側から水平方向に幕板４をブラケット３の取付部分３１ｂに接触させ、幕板４に設けられた雌ネジ孔４１とブラケット３の取付部分３１ｂに設けられたネジ孔３２とを位置決めする。そして、ブラケット３のネジ孔３２を介して幕板４の雌ネジ孔４１にネジ部材５を挿入し、左右の両脚部２のネジ部材５を締め付けて幕板４とブラケット３の取付部分３１ｂを密着させる。そして、このように幕板４の表面４３とブラケット３の取付部３１とを密着させることによって、図３（ｂ）に示すように開口部２０に引っ掛けられていたブラケット３を開口部２０前方の端部２０ａを中心にＹ方向に回転させ、ブラケット３の挿入部３０を開口部２０内において平面視挿入方向Ｘから斜め方向に傾けて位置させる。すなわち、図４に示すように、この挿入部３０の一方の側面３０ａを開口部２０の一方の側壁前方の端部２０ａに接触させ、挿入部３０の他方の側面３０ｂを開口部２０の対向する側壁奥方の端部２０ｂに接触させる。そして、ブラケット３と幕板４との締め付けを強くするに従って、挿入部３０とこれら端部２０ａ、２０ｂとの押圧力を強くし、これによって、がたつきを少なくする。そして、このネジ部材５を完全に締め付けることによって、ブラケット３の使用状態における取付部分３１ｂを幕板４と平行にするとともに、ブラケット３を開口部２０内において斜めに位置させる。
【００１９】
このように、上記実施の形態によれば、開口部２０にブラケット３を取り付けるようにしたものにおいて、ブラケット３を開口部２０の挿入方向Ｘと異なる方向に傾けて開口部２０の前方端部２０ａおよび奥方端部２０ｂを押しつけるようにしたので、ブラケット３のがたつきをなくすことができる。また、このようにブラケット３を取り付けるに際して、重力作用方向Ｇへの変位を規制するためのフック部３０ｃおよび開口部２０の下端部分２０ｃを設けるようにしたので、上下左右方向へのがたつきをなくし、より確実にブラケット３を取り付けることができるようになる。
【００２０】
なお、本発明は上記実施の形態に限定されることなく、種々変更することができる。すなわち、上記実施の形態においては、デスクＤの脚部２に対してブラケット３の取付構造を適用したが、これに限らず、他の分野におけるブラケットの取付構造にも適用することができる。また、上記実施の形態においては、スリット状の開口部２０を縦長状に設け、また、ブラケット３の挿入部３０を平面視斜めに傾けて開口部２０の端部２０ａ、２０ｂを押圧するようにしたが、これに限らず、スリット状の開口部を横長状に設け、これにブラケットを取り付けて、ブラケットの挿入部を側面視斜めに傾けて開口部の端部を押圧させるようにしても良い。また、本実施の形態では、開口部２０を中空円筒状の脚部２に設けるようにしたが、これに限らず、一定の厚みを有する平板などに同様の開口部を設けても良い。更に、開口部の形状としてスリット形状だけでなく、円形状など種々の形状にしても良い。また、本実施の形態では、開口部２０の端部２０ａ、２０ｂを押圧する場合について説明したが、端部を押圧する場合に限らず、隙間幅を少なくするように傾け、これによって、がたつきを少なくするようにしても良い。
【００２１】
【発明の効果】
本発明は、以上説明したような形態で実施され、以下に記載されるような効果を奏する。
【００２２】
すなわち、本発明では、開口部にブラケットを取り付けるようにしたものにおいて、ブラケットの挿入部を開口部の挿入方向から傾斜させて開口部の幅方向両端にそれぞれ接触させた状態で取り付けるようにしているので、開口部とブラケットとの隙間を少なくしてブラケットのがたつきを減少させることができる。
【００２３】
また、ブラケットを重力作用方向へ変位させないような規制部を設けるとともに、ブラケットを開口部の挿入方向と異なる方向に傾けて取り付けるようにしたので、上下左右方向へのブラケットのがたつきをなくすことができる。
【図面の簡単な説明】
【図１】本発明の一実施の形態を示すデスクの概略図。
【図２】同形態におけるブラケットを示す図。
【図３】同形態におけるブラケットの取り付け状態を示す図。
【図４】同形態における脚部の開口部近傍を拡大した図。
【符号の説明】
２・・・脚部
３・・・ブラケット
４・・・幕板
２０・・・開口部
２０ｃ・・・規制部（下端部分）
３０ｃ・・・規制部（フック部）
Ｇ・・・重力作用方向
Ｘ・・・挿入方向
【図１】
0004726317.tif 000002
【図２】
0004726317.tif 000003
【図３】
0004726317.tif 000004
【図４】
0004726317.tif 000005